(57)【特許請求の範囲】
【請求項１】
車両用灯具の配光を変えるための可動光学部品と、可動光学部品を駆動する駆動機構と、駆動途中の可動光学部品に制動力を与える制動機構とを備え、
前記制動機構が相対移動に伴って互いに反発し合う磁界を形成する磁石と非鉄金属製の負荷部材とを含み、磁石または負荷部材の何れか一方を可動光学部品と一体移動可能に設けたことを特徴とする車両用灯具の配光可変装置。
【請求項２】
前記駆動機構が可動光学部品を原点位置から作用位置に移動するアクチュエータと、可動光学部品を作用位置から原点位置に復帰させるスプリングとを含み、前記制動機構が復帰途中の可動光学部品に制動力を与える請求項１記載の車両用灯具の配光可変装置。
【請求項３】
前記可動光学部品が車両用灯具のシェードである請求項１または２記載の車両用灯具の配光可変装置。
【請求項４】
前記負荷部材が磁石を挟んで対向する一対の導体壁を備え、前記磁石が導体壁に対して平行移動可能に組み合わされている請求項１〜３の何れか一項に記載の車両用灯具の配光可変装置。
【請求項５】
前記負荷部材がアルミまたはアルミ合金からなる請求項１〜４の何れか一項に記載の車両用灯具の配光可変装置。
【発明の詳細な説明】
【技術分野】
【０００１】
本発明は、照明用の配光を変えるための可動光学部品を駆動および制動する機構を備えた配光可変装置に関する。
【背景技術】
【０００２】
従来、車両用灯具において、レンズ、シェード、反射鏡などの可動光学部品を移動し、車両周辺への配光を変化させる配光可変装置が知られている。この種の配光可変装置では、通常、可動光学部品をＤＣモータやソレノイドにより原点位置から作用位置（配光可変位置）に駆動し、スプリングによって作用位置から原点位置に復帰させている。
【０００３】
例えば、特許文献１の配光可変装置は、シェードをソレノイドで退避位置から遮光位置に駆動し、ソレノイドに内蔵のリターンスプリングで遮光位置から退避位置に復帰させている（段落００２６）。特許文献２の配光可変装置は、シェードをモータによりリンク機構を介して作用位置に配置し、トーションスプリングによって原点位置に戻している（段落００３１）。
【先行技術文献】
【特許文献】
【０００４】
【特許文献１】特開２０１０−４０４５９号公報
【特許文献２】特開２０１０−９７６６号公報
【発明の概要】
【発明が解決しようとする課題】
【０００５】
ところが、従来の配光可変装置によると、可動光学部品をスプリングの弾発力で戻しているので、スピード制御が困難となり、可動光学部品が作用位置から原点位置に素早く移動し、配光が急激に変化するという不都合があった。また、可動光学部品を摩擦部材などの接触部品で制動することも考えられるが、接触部品の擦れ音や摩耗に伴う別の問題が発生する。
【０００６】
そこで、本発明の目的は、接触部品を使用することなく、可動光学部品に制動力を与え、配光を緩やかに変化させることができる配光可変装置を提供することにある。
【課題を解決するための手段】
【０００７】
上記課題を解決するために、本発明は、次のような配光可変装置を提供する。
（１）配光を変えるための可動光学部品と、可動光学部品を駆動する駆動機構と、可動光学部品に制動力を与える制動機構とを備え、制動機構が相対移動に伴って互いに反発し合う磁界を形成する磁石と非鉄金属製の負荷部材とを含み、磁石または負荷部材の何れか一方を可動光学部品と一体移動可能に設けたことを特徴とする配光可変装置。
【０００８】
上記配光可変装置は、可動光学部品が重力によって作用位置から原点位置に復帰するタイプの照明装置に使用することができる。ただし、車両用灯具など、可動光学部品に確実な動作が求められる用途では、以下に示すように、可動光学部品をスプリングによって復帰させるのが好ましい。
【０００９】
（２）駆動機構が可動光学部品を原点位置から作用位置に移動するアクチュエータと、可動光学部品を作用位置から原点位置に復帰させるスプリングとを含み、制動機構が復帰途中の可動光学部品に制動力を与えることを特徴とする（１）に記載の配光可変装置。
【００１０】
（３）可動光学部品が車両用灯具のシェードであることを特徴とする（１）または（２）に記載の配光可変装置。
【００１１】
（４）負荷部材が磁石を挟んで対向する一対の導体壁を備え、磁石が導体壁に対して平行移動可能に組み合わされていることを特徴とする（１），（２）または（３）に記載の配光可変装置。
【００１２】
（５）負荷部材がアルミまたはアルミ合金からなることを特徴とする（１），（２），（３）または（４）に記載の配光可変装置。
【発明の効果】
【００１３】
本発明の配光可変装置において、磁石と負荷部材との間に相対移動が発生すると、非鉄金属製の負荷部材に渦電流が流れ、渦電流によって負荷部材に磁界が形成され、この磁界が磁石の磁界と反発し合い、この反発力によって可動光学部品の移動が妨げられる。このため、制動機構に接触部品を使用することなく、磁気作用による制動力を可動光学部品に与え、照明装置の配光を緩やかに変化させることができる。
【図面の簡単な説明】
【００１４】
【図１】本発明による実施例１の配光可変装置を装備した車両用灯具を示す斜視図である。
【図２】図１の配光可変装置の制動機構を示す側面図である。
【図３】制動機構の動作を示す斜視図である。
【図４】本発明による実施例２の配光可変装置を装備した車両用灯具を示す斜視図である。
【図５】図４の配光可変装置の制動機構を示す側面図である。
【図６】本発明による実施例３の配光可変装置を装備した車両用灯具を示す斜視図である。
【図７】図５の配光可変装置の制動機構を示す側面図である。
【図８】制動機構の変更例を示す側面図である。
【図９】制動機構の別の変更例を示す側面図である。
【発明を実施するための形態】
【００１５】
以下、本発明を車両用灯具の配光可変装置に具体化した実施形態を図面に基づいて説明する。図１に示す車両用灯具１は、灯具ハウジング（図示略）の内側に光源２、リフレクタ３、レンズ４、配光可変装置５を備え、配光可変装置５がシェード６、駆動機構７、制動機構８を装備している。シェード６は、車両用灯具１の配光を変えるための可動光学部品であって、駆動機構７のアクチュエータにより駆動され、制動機構８によって制動される。
【００１６】
図２に示すように、アクチュエータとしてのモータ９（ソレノイドも使用可）はカム部材１０と中間部材１１を介してシェード６に連結されている。シェード６は軸１２で支持枠１３に回動可能に支持され、モータ９により原点位置（図１参照）と作用位置（図３参照）とに駆動される。そして、支持枠１３にシェード６を原点位置に復帰させるトーションスプリング１４が装着され、このスプリング１４の付勢力に抗して、制動機構８が復帰途中のシェード６に制動力を与えるようになっている。次に、制動機構８の詳細な構成を幾つかの実施例に従って説明する。
【実施例１】
【００１７】
図１〜図３に示す実施例１の制動機構８は、永久磁石１６と非鉄金属製の負荷部材１７を備えている。負荷部材１７は、アルミまたはアルミ合金材料でコ字形に形成され、永久磁石１６を挟んで対向する一対の導体壁１７ａ，１７ｂを備えている。永久磁石１６は、ホルダ１８によりブラケット１９を介して中間部材１１に取り付けられ、導体壁１７ａ，１７ｂに対して平行移動可能に組み合わされ、モータ９によってシェード６と一体に負荷部材１７の内側でその長手方向に往復移動されるようになっている。
【００１８】
図３に示すように、シェード６の作用位置でモータ９が消勢されると、シェード６がスプリング１４の付勢力で作用位置から原点位置に復帰する。このとき、永久磁石１６が図３の矢印方向に移動し、負荷部材１７に磁石１６の磁束を打ち消すように渦電流が流れる。そして、渦電流により形成された負荷部材１７の磁界と磁石１６の磁界とが互いに反発し合い、この反発力がシェード６に制動力として作用する。したがって、この制動力でスプリング１４の付勢力を弱め、シェード６を減速回動させ、車両用灯具１の配光を緩やかに変化させることができる。
【実施例２】
【００１９】
図４、図５に示す実施例２の制動機構８では、永久磁石２１が磁性体ケース２２に固定的に保持され、非鉄金属製の負荷部材２３がブラケット１９によりシェード６と一体移動可能に取り付けられている。そして、シェード６が原点位置に復帰するとき、負荷部材２３が永久磁石２１の磁束を横切って移動し、永久磁石２１と負荷部材２３が両者の相対移動に伴って互いに反発し合う磁界を形成し、反発力を制動力としてシェード６に作用させる。したがって、実施例１と同様に、制動力によってスプリング１４の付勢力を弱め、シェード６を減速回動させ、車両用灯具１の配光を緩やかに変化させることができる。
【実施例３】
【００２０】
図６、図７に示す実施例３の制動機構８では、電磁石２５が磁性体ケース２２に固定的に保持され、非鉄金属製の負荷部材２３がシェード６と一体移動可能に設けられている。そして、実施例２と同様に、シェード６が原点位置に復帰するときに、電磁石２５と負荷部材２３が両者の相対移動に伴って互いに反発し合う磁界を形成し、原点位置に向かうシェード６に制動力を作用させる。したがって、実施例３の制動機構８によっても、実施例１と同様の作用効果が得られる。
【００２１】
本発明は上記実施例に限定されるものではなく、以下に例示するように、発明の趣旨を逸脱しない範囲で適宜に変更して実施することも可能である。
（１）図８に示すように、非鉄金属製のコ字形負荷部材２７をシェード６と一体移動可能に設け、永久磁石２８を負荷部材２７の導体壁２７ａ，２７ｂの間に位置するように灯具ハウジング２９に固定的に設けること。
（２）図９に示すように、永久磁石３１をシェード６と一体移動可能に設け、非鉄金属製の負荷部材３２を二つに分割し、一対のＩ字形またはＬ字形の導体壁３２ａ，３２ｂの間に永久磁石３１を配置すること。
（３）上記各実施例の制動機構８をレンズや反射鏡などの可動光学部品に応用すること。
（４）上記実施例の制動機構８を車両用灯具以外の各種照明装置に適用すること。
【符号の説明】
【００２２】
１    車両用灯具
２    光源
３    リフレクタ
４    レンズ
５    配光可変装置
６    シェード
７    駆動機構
８    制動機構
１４    トーションスプリング
１６    永久磁石
１７    負荷部材
１７ａ，１７ｂ    導体壁
２１，２８，３１    永久磁石
２５    電磁石
２２，２７，３２    負荷部材
【図１】
0005936871.tif 000002
【図２】
0005936871.tif 000003
【図３】
0005936871.tif 000004
【図４】
0005936871.tif 000005
【図５】
0005936871.tif 000006
【図６】
0005936871.tif 000007
【図７】
0005936871.tif 000008
【図８】
0005936871.tif 000009
【図９】
0005936871.tif 000010